(57)【要約】【課題】ドラムの交換作業を効率よく、短時間に、安全に行なうことができる調理器具用洗浄機を提供する事を目的とする。【解決手段】ドラム２の両端部４，４よりストッパー１０を、ドラム２の開口３が上方位置になったときに該ストッパー１０位置も上方位置となるようにドラム２の開口３と同方向で、その下面が回転軸８外周に接するように突出する。そして、位置制御手段により、ドラム２の開口３位置を制御する。【選択図】図１
2004188136.tif 000002
【特許請求の範囲】
【請求項１】
ドラムの側辺に設けた開口より、調理器具、洗浄用チップ、洗浄液等を投入後、該開口を蓋にて閉鎖し、該ドラムを垂直回転して洗浄する調理器具洗浄機において、前記ドラムの両端の回転軸のすくなくとも一端側回転軸に設けた位置指示具と、該位置指示具の位置検出手段と、ドラム開口位置選定手段と、制御器とより構成されるドラム開口位置制御手段にて前記ドラムの開口位置を制御するとともに、前記ドラムの両端の回転軸は、取外し可能に構成し、ドラムの両端面よりストッパーを、ドラムの開口が上方位置になったときに該ストッパー位置も上方位置となるようにドラムの開口と同方向で、その下面が前記回転軸の外周に接するように突出したことを特徴とする調理器具用洗浄機。
【請求項２】
前記回転軸を、フランジ部と軸本体とより構成し、該フランジ部には、取付孔を設け、該取付孔を介して締結具により前記ドラム両端に取外し可能に取りつけ、前記ドラムの両端面に設けたストッパーは、ドラムの開口が上方位置になったときに該ストッパー位置も上方位置となるようにドラムの開口と同方向で、その下面が前記フランジ部外周に接するように突出したことを特徴とする請求項１記載の調理器具用洗浄機。
【発明の詳細な説明】
【０００１】
【発明の属する技術の分野】
本発明は、主にロースターの焼網、ロストル等の調理器具の洗浄機に関する。
【０００２】
【従来の技術】
従来、洗浄機におけるドラムの取替えは、軸受けごと洗浄機本体より外すか、または、ドラム本体と両端部の締結を解除してドラム本体を取出した後、両端の回転軸をそれぞれの軸受けから取外して取出すものと想定される（例えば、特許文献１参照）。したがって、ドラムの取替え作業に手間がかかるとともに危険も伴う。
【０００３】
また、分野は異なるが物を洗浄するか研磨するかの用途の違いがあるのみで、類似の機械としてバレル研磨機がある。このバレル研磨機のドラムは、内部にゴムライニングを施し、ドラム本体の傷みの防止と騒音の発生を減少させている。（例えば、特許文献２参照）。これは、ドラムを構成する各側面板ゴムライニングを施すとともに組立て分解可能に構成しているが、ゴムライニングの取替え作業に手間がかかる問題は解決されていない。
【０００４】
【特許文献１】
登録実用新案公報第３０３０８０３号（全頁、図１、図２）。
【特許文献２】
特開平５−５７５９５号（段落番号、０００２，０００３、０００６、００１０、図１乃至図６．）
【０００５】
【発明が解決しようとする課題】
本発明の調理器具用洗浄機は、ドラム取替え作業を効率よく、短時間に、しかも安全に行なう事ができる調理器具用洗浄機を提供する事を目的とする。
【０００６】
【課題を解決するための手段】
【０００７】
本発明の請求項１記載の調理器具用洗浄機は、ドラム両端の回転軸のすくなくとも一端側回転軸に設けた位置指示具と、該位置指示具の位置検出手段と、ドラム開口位置選定手段と、制御器とより構成されるドラム開口位置制御手段にて前記ドラムの開口位置を制御する。また、前記ドラムの両端の回転軸は、取外し可能に構成する。そして、ドラムの両端面よりストッパーをドラムの開口が上方位置になったときに該ストッパー位置も上方位置となるようにドラムの開口と同方向で、その下面が前記軸部外周に接するように突出した。
【０００８】
本発明の請求項２記載の調理器具用洗浄機は、回転軸を、フランジ部と軸本体とより構成する。該フランジ部には、取付孔を設ける。該取付孔を介して締結具により前記ドラム両端部に取外し可能に取りつける。前記ドラムの両端面に設けたストッパーは、ドラムの開口が上方位置になったときに該ストッパー位置も上方位置となるようにドラムの開口と同方向で、その下面が前記フランジ部外周に接するように突出した。
【０００９】
【発明の実施の形態】
本発明の調理器具用洗浄機は、ドラム両端部よりストッパーを開口位置と同方向で、ドラムの開口が上方位置になったときに該ストッパー位置も上方位置となるようにドラムの開口と同方向で、その下面が回転軸外周に接するように突出する。そして、ドラム開口位置制御手段により、ドラムの開口位置を制御する。
【００１０】
【実施例】
図１は、本発明調理器具用洗浄機の一実施例の概要を示す斜視図。図２は、その要部斜視図である。図３は、ドラム開口の蓋締付け機構を示す要部断面拡大図である。１は、調理器具用洗浄機。２はドラムで、六角筒状に形成した。
ドラム２は、側辺に開口３を設ける。ドラム２の内部は、ゴムライニング１２で保護する。ドラム２の両端４，４には、取付孔５を有するフランジ部６と軸本体７とからなる回転軸８を、前記フランジ部６の取付孔５を介して締結具９によりドラム２の両端４，４に取りつける。ドラム両端４．４よりストッパー１０をその下面が前記フランジ部６外周に接するように突出する。本実施例では、３本の丸棒状のストッパーを設けた。
【００１１】
ドラム２の開口３は、蓋１１で閉鎖する。蓋１１は、その内面をドラム２同様にゴムライニング１２で保護する。開口３を閉鎖するにはボルト締結も考えられるが、本実施例では、図３に示すような蓋締付け機構１３を用いて開閉作業を簡便に行なえるようにした。蓋締付け機構１３は、締付け軸１４と開口両端に設けた受台１５とよりなる。締付け軸１４の中間には、取っ手１６を設ける。取っ手１６を対称軸としてカム１７を締付け軸１４の両端部に設ける。カム１７は、その外周１８が偏心して軸心までの長さが長くなるように設定されているので、締付け軸を回転することにより、その偏心量分蓋１１を締付ける事ができる。
受台１５は、軸受け部１９の一端が開放され、挿入口なっている。締付け軸の受台１５への接触部はくびれて小径部２０となっており、締付け軸１４の横づれを防ぐ役目をする。
なお、ドラム２の排水の際には、図示しないが、多数の小孔を有する排水用蓋を用いる。その際にも蓋締付け機構１３用いて交換作業を簡便に行なえる。
【００１２】
ドラム両端の回転軸８は、フランジ部６と軸本体７より構成される。回転軸８は、軸受２１により支持される。また、ドラムの一端側回転軸８には、その軸受２１よりの突出端に、従動側プーリー２４を取りつけるとともに、外周に突起２３を設けた円盤状の位置指示具２２を取付ける。従動側プーリー２４の下方位置には減速機付モーターＭに連動する駆動プーリー２５を設け、ベルトＶにより連動させる。
前記位置指示具２２の外周近傍には、位置検出手段である検出スイッチ２６を対向配置する。前記位置指示具２２の突起２３が接触することにより検出スイッチ２６が作動する。
【００１３】
ドラム２は、回転軸８のフランジ部６の取付孔５を介して締結具９により回転軸８に取りつける。
【００１４】
２７は、キャビネットで、前記ドラム２、回転軸８、従動側プーリー２４、駆動プーリー２５、減速機付モーターＭ等を収納する。キャビネット２７には、扉２８を設ける。ドラムの下方に位置に排水用容器３０を引き出し状にキャビネット２７に出し入れ自在に設ける。扉２８の開閉状態をキャッチする検出スイッチ２９を、閉じた状態の扉２８の端部付近に設ける。キャビネット２７の上部前面には、ドラム作動時間を選定するタイマースイッチＴと、ドラム開口の上下位選定手段である選定スイッチＳと、過負荷停止ボタンＢを設けた制御板Ｃを取りつける。
そして前記，検出スイッチ２６、２９、タイマースイッチＴ、選定スイッチＳ、過負荷停止ボタンＢを制御する制御器Ｒを適所に取りつける。扉２８は開ければ、ドラムが非常停止する。扉２８が閉じている状態では、ドラム２は回転可能であり、各スイッチで選定した作動が可能である。
前記ドラム開口位置制御手段は、選定スイッチＳ、制御器Ｒ、検出スイッチ２６、位置指示具２２で構成される。
なお、位置指示具２２は、本実施例では、外周に突起を設けた円盤状のものを例示したが他の方法、例えば円盤状の外周近辺に孔を設けるとともに検出スイッチとして遮光検出スイッチを用いることもできる。また、回転軸外周に直接突起を設けるか、磁石を埋め込んでこれらに対応した検出スイッチを用いることも考えられる。その他色々の検出手段を採用する事ができる。
【００１５】
次に本発明の調理器具用洗浄機の洗浄作業、ドラムの交換作業について述べる。洗浄作業を行なうには、ドラム２の開口３より被洗浄物である調理器具、洗浄用チップであるピラミッド型鉄製チップ、洗浄液である水を投入する。蓋１１で開口３を閉じる。蓋１１の開閉は、前記蓋締付け機構１３により行なう。キャビネット２７の扉２８を閉じる。そしてタイマースイッチＴにより洗浄時間を選定する。洗浄が終れば、開口が上位置になるように設定してあるので、キャビネット２７の扉２８を開け、蓋を排水用蓋に取替える。キャビネット２７の扉２８を閉じる。そして、選定スイッチＳを排水位置にセットして開口３を下方に向け、排水用蓋の小孔より排水できる。さらに、選定スイッチＳにより開口上位置にセットし、開口を上位置に回転した後、キャビネット２７の扉２８を開け、排水用蓋をとり除いて被洗浄物を取出すことができる。
【００１６】
ドラム２の交換作業を行なうには、ドラム２より蓋１１を撤去し、ドラム内の被洗浄物を取り除いた後、ドラム２内より回転軸８のフランジ部６の締結具９を解除する。すると、ストッパー１０により、ドラム２は、ドラム２両端の回転軸のフランジ部６上に懸架された状態を呈するので、ドラム２を持上げて取り除く事ができる。ドラム２の重量は約３０キロ程度にしておけば一人の作業員で交換する事ができる。また、ドラムは、ゴムライニングされた新品を予め用意しておき、前記ドラム撤去作業と逆順序で交換することができる。
【００１７】
【発明の効果】
本発明の調理器具用洗浄機においては、ドラムの交換作を効率よく、短時間に、しかも安全に行なうことができる。
【図面の簡単な説明】
【図１】本発明の調理器具用洗浄機の一実施例の概要を示す斜視図。
【図２】図１の要部斜視図。
【図３】ドラム開口の蓋締付け機構を示す要部断面拡大図。
【符号の説明】
１    調理器具用洗浄機
２    ドラム
３    開口
６    フランジ部
７    軸本体
８    回転軸
１０  ストッパー
２２  位置指示具
２６  位置検出スイッチ
Ｍ    減速機付モーター
Ｒ    制御器
Ｓ    ドラム開口位置選定スイッチ
Ｔ    タイマースイッチ
【図１】
2004188136.tif 000003
【図２】
2004188136.tif 000004
【図３】
2004188136.tif 000005